(57)【要約】【課題】車室内への送風を、温風及び涼風に切換調整することが可能な、安価で簡単な構成の運搬車両用空調装置を提供する。【解決手段】車室１を設けた前車台２と荷台３を設けた後車台４とを左右揺動自在に連結した運搬車両において、該後車台４に搭載する原動機５の左右一側に排気系路６を設け、他側に吸気系路７を配設し、前記排気系路６に集熱器８と、該集熱器８から車室１に向け延設した送風ダクト９とを設け、該送風ダクト９前端部に送風装置１０を設けるとともに、前記吸気系路７側から吸気可能の涼風ダクト１１を該送風ダクト９に接続し、この接続部１２に切換調整弁１３を設けてなる運搬車両用空調装置の構成とする。【選択図】        図１
2005001450.tif 000002
【特許請求の範囲】
【請求項１】
車室（１）を設けた前車台（２）と荷台（３）を設けた後車台（４）とを左右揺動自在に連結した運搬車両において、該後車台（４）に搭載する原動機（５）の左右一側に排気系路（６）を設け、他側に吸気系路（７）を配設し、前記排気系路（６）に集熱器（８）と、該集熱器（８）から車室（１）に向け延設した送風ダクト（９）とを設け、該送風ダクト（９）前端部に送風装置（１０）を設けるとともに、前記吸気系路（７）側から吸気可能の涼風ダクト（１１）を該送風ダクト（９）に接続し、この接続部（１２）に切換調整弁（１３）を設けてなる運搬車両用空調装置。
【請求項２】
送風ダクト（９）を前車台（２）と後車台（４）との左右揺動中心に接近配置してなる請求項１記載の運搬車両用空調装置。
【発明の詳細な説明】
【０００１】
【発明の属する技術分野】
本発明は、運搬車両の空調装置に関するものであり、詳しくは原動機の排気ガス熱を利用する温風と外気温度の涼風とを切換自在にして乗車部の空調を行うものである。
【０００２】
【従来の技術】
【特許文献１】実開昭５１−７１５５０号公報
従来より、エンジンの排気ガスの熱を利用した車室内の暖房装置には多くのものがある。例えば特許文献１に示すものは、排気管に止着したヒートパイプの即感性と高伝熱性によってエンジン起動直後短時間に温風を得ることができ、この温風が通る温風筒に設けたダンパーで温風を車室内へ導いたり、車外へ排出したりして、車室内の空調を行うものである。
特許文献１の構成は暖房のみに使用されているもので、温風筒には常に温風しか通すことができず、車室温度が上昇してもその温度を下げることができないものであった。又、車室の窓を開放すれば涼風が車室内に入り、快適な車室温に調整することも可能であるが、無風時や停車時には車室内への涼風が入らず、車室内温度が上昇するという不都合のあるものであった。
【０００３】
【発明が解決しようとする課題】
本発明は、車室内への送風を、温風及び涼風に切換調整することが可能な、安価で簡単な構成の運搬車両用空調装置を提供することを課題とする。
【０００４】
【課題を解決するための手段】
車室１を設けた前車台２と荷台３を設けた後車台４とを左右揺動自在に連結した運搬車両において、該後車台４に搭載する原動機５の左右一側に排気系路６を設け、他側に吸気系路７を配設し、前記排気系路６に集熱器８と、該集熱器８から車室１に向け延設した送風ダクト９とを設け、該送風ダクト９前端部に送風装置１０を設けるとともに、前記吸気系路７側から吸気可能の涼風ダクト１１を該送風ダクト９に接続し、この接続部１２に切換調整弁１３を設けてなる運搬車両用空調装置の構成とする。
又、送風ダクト９を前車台２と後車台４との左右揺動中心に接近配置した運搬車両用空調装置とする。
【０００５】
【発明の作用及び効果】
請求項１の発明にあっては、車室１を設けた前車台２と荷台３を設けた後車台４とを左右揺動自在に連結した運搬車両において、該後車台４に搭載する原動機５の左右一側に排気系路６を設け、他側に吸気系路７を配設し、前記排気系路６に集熱器８から車室１に向け延設した送風ダクト９とを設け、該送風ダクト９前端部に送風装置１０を設けてあるので、原動機５によって短時間に高温となる排気ガス熱を集熱器８によって効率良く集熱し、その熱が、送風ダクト９前端部に設けた送風装置１０によって車室１内へ温風として送風されるので、車室１内の温度を短時間で上昇させることができる。又、吸気系路７側から吸気可能の涼風ダクト１１を送風ダクト９に接続し、この接続部１２に切換調整弁１３を設け、原動機５によって高温となる排気系路６側とは左右逆方向に吸気系路７を設けてあるので、原動機５の熱影響の少ない吸気系路７側から涼風を吸気することができ、この涼風ダクト１１と送風ダクト９との接続部１２に設けた切換調整弁１３によって、温風と涼風とを容易に切換可能であるとともに、切換調整弁１３を任意の中間位置で調整することで、温風と涼風を混合させることができ、車室１内への送風温度を任意に調整することができる。尚、送風装置１０は送風ダクト９前端部に設けてあり、単一の送風装置１０によって温風及び涼風を車室１内に送風することができ、安価で簡単な構成の空調装置を提供することが可能である。
【０００６】
請求項２の発明にあっては、送風ダクト９を前車台２と後車台４との左右揺動中心に接近配置させたことにより、前車台２と後車台４との揺動に伴う送風ダクト９の揺動が最小限となり、送風ダクト９の摺れや屈曲疲労等による破損がない。
【０００７】
【発明の実施の形態】
次に本発明の実施の形態について図面を参照に説明する。この運搬車両は、前車台２下方に操向操作可能の前輪２０を備え、上方に車室１を設けてある。後車台４には油圧シリンダ２３でダンプ操作可能の荷台３を搭載し、後部に後輪２４を具備してある。前車台２と後車台４は機体左右中央部の連結軸２５で左右揺動可能に支持されてあり、凹凸の激しい不整地走行時にも前車台２と後車台４が独立的に揺動するため前輪２０及び後輪２４の接地追従性が良い構成である。具体構成は図４に示すように、正面視後車台４の中央部に連結軸２５を枢支し、該連結軸２５の左右両側には前車台２から後方へ突出する角パイプ１９を設けてある。後車台４の前面には前記角パイプ１９を覆うＭ型形状の規制板１８を設け、前車台２と後車台４が左右揺動した際規制板１８と角パイプ１９が当接する位置にゴム板１７を取着してある。図４に示す状態は、後車台４は水平状態であり、前車台２が、正面視において反時計回りに揺動し、右側の角パイプ１９が上方に移動して規制板１８に取着のゴム板１７に当接した状態を示してある。
前車台２は、平面視略正方形状で、前部床面を下方へ下げて搭乗者の足置き部を形成し、後部には運転席２１と助手席２２を左右に並べて取着し、該運転席２１前方には前輪２０を操向操作するハンドル２６や変速レバー２７等の操縦装置を配設してある。前車台２の前端には左右全幅にわたって前フレーム２８を立設し、その上方にフロントガラスを備えたフロントガラス枠を取着してある。前車台２後端には、リヤガラスを備えたリヤフレーム２９を立設し、このリヤフレーム上端部と、前記フロントガラス枠の上端部とをルーフ部材で連結し、左右両側にはドア３０を設けて箱型形状の車室１を形成してある。
【０００８】
後車台４の前後略中央部には原動機５を搭載し、その後方にトランスミッション３１を配置し、原動機５の動力をＶベルト３２によってトランスミッション３１に伝動してある。原動機５前方の後車台４右外側には油圧ポンプ３９を取着し、その動力はＶベルト４０によって伝動される。原動機５は、後車台４下枠を左右に連結する横枠３３上へ防振ゴム３４を介して取り付けたベース３５上に取り付けてある。原動機５の燃焼用空気は、原動機５前方に設けたエアフィルター３６から吸気され、その吸気口３７を後車台４左側に向け突設し、後車台４の左側から吸気するよう配置してある。又、原動機５自体を冷却するファン３８は原動機５の左側に設けてあり、燃焼用空気の吸気と同様に後車台４の左側から吸気を行う。
トランスミッション３１からは左右に後輪軸４７を突出させ、この両端に取り付けた後輪２４を駆動する。又、トランスミッション３１左側にはギヤボックス４８を設け、前方に向け延設したプロペラシャフト４９を介して前輪２０駆動用のフロントデフ（図示せず）に駆動力を伝達することが可能で、４輪駆動と２輪駆動の切り換えができる構成である。
【０００９】
原動機５右側からは、前方に向け排気管４１を延設しその先端を下方に湾曲して円筒形のマフラー４２に接続してある。該マフラー４２は長手方向を横方向にして後車台４の下枠に取着し、排気ガスは後車台４右外方の斜め後方に向け排出される。この排気管４１とマフラー４２からなる排気系路６は後車台４の右側に設け、逆に原動機５の冷却吸気や燃焼用空気の吸気系路７は後車台４の左側に設けてある。排気系路６と吸気系路７とを後車台４の左右に振り分けて配設することで、後車台４部の全体的な空気の流れは左から吸入されて右側へ排出され、後車台４内方、且つ、荷台３下方の閉鎖空間に位置する原動機５等に対して効率の良い冷却が行われるとともに、略外気温度の吸気を行うことができる。尚、本実施例においては、後車台４右側に排気系路６を、左側に吸気系路７を配設したが、左右を逆に配設しても同様である。又、後車台４左外側面には、高温によって引火の危険性や性能低下の恐れのある燃料タンク４３やバッテリ４４を配設してある。
【００１０】
前記排気系路６のマフラー４２には、外周を覆う形状の集熱器８を設け、その上方に向け排気熱ダクト４５を立設してある。排気熱ダクト４５先端には車室１に向け延設した送風ダクト９が接続されてある。送風ダクト９の前端には送風装置１０が設けてあり、送風ダクト９内の空気を車室１内足元の左右中央部から排出するよう構成してある。
排気熱ダクト４５とは別に、吸気系路７側から吸気することのできる涼風ダクト１１を設けてあり、その先端を送風ダクト９に接続してある。この接続部には、排気熱により温められた温風と、略外気温度の涼風とを混合、又は、切り換え可能の切換調整弁１３を設けてある。この切換調整弁１３の切換操作については、電磁弁等による電気的な手段やワイヤーやリンク機構の連結によるメカ的手段等によって行うことが可能である。
送風ダクト９は、前車台２と後車台４とを左右揺動自在に枢支した連結軸２５に接近させ、車台２，４の左右揺動に伴う送風ダクト９の揺動が最小限になるよう配設してある。
【００１１】
本件発明は上記のように構成してあるので、、原動機５始動後、車室１内の温度を短時間に上昇させることができる。又、高温熱源となる排気ガスや排気管４１、油圧ポンプ３９等を、後車台４の左右一側に配設し、これらとは左右逆方向に原動機５の吸気口３７や涼風ダクト１１の吸気口を配設してあるので、後車台４左右各々から温風と涼風をダクト内に容易に引き込むことができ、優れた空調能力を発揮するものとなる。
【図面の簡単な説明】
【図１】全体平面図。
【図２】全体側面図。
【図３】要部の平面図。
【図４】車台揺動状態を示す一部正面図。
【符号の説明】
１    車室
２    前車台
３    荷台
４    後車台
５    原動機
６    排気系路
７    吸気系路
８    集熱器
９    送風ダクト
１０    送風装置
１１    涼風ダクト
１２    接続部
１３    切換調整弁
【図１】
2005001450.tif 000003
【図２】
2005001450.tif 000004
【図３】
2005001450.tif 000005
【図４】
2005001450.tif 000006